(57)【要約】【課題】  透過モードおよび反射モードの表示設定情報の切り替え時間を短くし、従来のような表示モードの切り替え時の映像の乱れを使用者に認識させないようにする。【解決手段】  表示系制御部７１により第１の表示設定情報をパネルドライバ３２に送信する期間を偶数フィールドの表示期間に割り当てる。そして、透過モードおよび反射モードのいずれか一方の表示モードが選択されたときには、偶数フィールドの表示期間に第１の表示設定情報を表示系制御部７１によりパネルドライバ３２に送信し、送信された表示設定情報をパネルドライバ３２によりフィールド垂直同期信号に同期して保持し、第２の表示設定情報を表示系制御部７１によりフレーム垂直同期信号に同期して保持する。【選択図】        図１
2006208450.tif 000002
【特許請求の範囲】
【請求項１】
第１の表示設定情報に基づいて画像信号の信号処理を行って液晶表示装置を駆動するパネル駆動回路と、前記第１の表示設定情報を前記パネル駆動回路に送信して前記パネル駆動回路に前記第１の表示設定情報を設定させるとともに、第２の表示設定情報を設定し、設定された第２の表示設定情報に基づいて前記パネル駆動回路に送信される画像信号の信号処理を行う制御回路とを準備し、
バックライトを光源とする透過モードおよび反射板により反射された外光を光源とする反射モードのいずれか一方の表示モードが選択されたとき、選択された表示モードに対応する前記第１の表示設定情報を前記制御回路により前記パネル駆動回路に送信して前記パネル駆動回路により前記第１の表示設定情報を設定するとともに、選択された表示モードに対応する前記第２の表示設定情報を前記制御回路により設定する液晶表示装置の表示モードの切り替え方法であって、
前記透過モードおよび前記反射モードのいずれか一方の表示モードが選択されたとき、偶数フィールドの映像が表示される期間に前記第１の表示設定情報を前記制御回路により前記パネル駆動回路に送信し、送信された第１の表示設定情報を前記パネル駆動回路によりフィールド毎に発せられるフィールド垂直同期信号に同期して設定するとともに、前記第２の表示設定情報を前記制御回路によりフレーム毎に発せられるフレーム垂直同期信号に同期して設定する、
ことを特徴とする液晶表示装置の表示モードの切り替え方法。
【請求項２】
前記制御回路および前記パネル駆動回路は、シリアル通信により前記第１の表示設定情報を送受することを特徴とする請求項１記載の液晶表示装置の表示モードの切り替え方法。
【請求項３】
バックライトを光源とする透過モードおよび反射板により反射される外光を光源とする反射モードのいずれか一方の表示モードを選択する液晶表示パネルと、
前記透過モードおよび前記反射モードのいずれか一方の表示モードが選択されたとき、選択された表示モードに対応する第１の表示設定情報を設定し、設定された第１の表示設定情報に基づいて前記液晶表示パネルにより表示される画像信号の信号処理を行って前記液晶表示パネルを駆動するパネル駆動回路と、
前記透過モードおよび前記反射モードのいずれか一方の表示モードを選択されたとき、選択された表示モードに対応する前記第１の表示設定情報を前記パネル駆動回路に送信して前記パネル駆動回路に前記第１の表示設定情報を設定させるとともに、選択された表示モードに対応する第２の表示設定情報を設定し、設定された第２の表示設定情報に基づいて前記パネル駆動回路に送信される画像信号の信号処理を行う制御回路とを備え、
前記制御回路は、前記透過モードおよび前記反射モードのいずれか一方の表示モードが選択されたとき、偶数フィールドの映像が表示される期間に前記パネル駆動回路に前記第１の表示設定情報を送信するとともに、フレーム毎に発せられるフレーム垂直同期信号に同期して前記第２の表示設定情報を設定し、
前記パネル駆動回路は、前記制御回路により送信された前記第１の表示設定情報をフィールド毎に発せられるフィールド垂直同期信号に同期して設定する、
ことを特徴とする携帯情報機器。
【請求項４】
前記制御回路および前記パネル駆動回路は、シリアル通信により前記第１の表示設定情報を送受することを特徴とする請求項３記載の携帯情報機器。
【請求項５】
前記制御回路からの画像信号を表示するビュー・ファインダ部と、
前記制御回路から送信された第３の表示設定情報を設定し、設定された第３の表示設定情報に基づいて前記制御回路から送信された画像信号の信号処理を行って前記ビュー・ファインダ部を駆動するファインダ駆動回路とを備え、
前記制御回路は、奇数フィールドの映像が表示される期間に前記第３の表示設定情報を前記ファインダ駆動回路に送信し、
前記ファインダ駆動回路は、前記制御回路により送信された前記第３の表示設定情報を前記フィールド垂直同期信号に同期して設定することを特徴とする請求項３記載の携帯情報機器。
【請求項６】
前記制御回路および前記ファインダ駆動回路は、シリアル通信により前記第３の表示設定情報を送受することを特徴とする請求項５記載の携帯情報機器。
【請求項７】
前記パネル駆動回路および前記ファインダ駆動回路は、共通の信号線により前記制御回路に接続され、
前記制御回路は、前記偶数フィールドの映像が表示される期間に前記信号線により前記パネル駆動回路を選択して前記第１の表示設定情報を送信し、前記奇数フィールドの映像が表示される期間に前記信号線により前記ファインダ駆動回路を選択して前記第３の表示設定情報を送信することを特徴とする請求項５記載の携帯情報機器。
【発明の詳細な説明】
【技術分野】
【０００１】
本発明は、半透過型の液晶表示装置の表示モードの切り替え方法および半透過型の液晶表示装置を有する携帯情報機器、例えば動画や静止画を撮影するデジタルカメラや、携帯電話機、ＰＤＡ（Personal Digital Assistance）等の携帯情報機器に関する。
【背景技術】
【０００２】
液晶表示装置は、画面を表示する光源の違いにより透過型と反射型に大別される。透過型の液晶表示装置は、液晶背面のバックライトからの光を利用して画面を表示する。透過型の液晶表示装置は、表示画面が明るく暗い場所でも表示を行うことができる反面、バックライトの消費電力がかかる。一方、反射型の液晶表示装置は、液晶背面の反射板により反射した外光を利用して画面を表示する。反射型の液晶表示装置は、暗い場所では画面が見にくくなる反面、光源のための消費電力がかからない。
さらに、これらの両方の利点を生かして透過モードおよび反射モードのいずれか一方の表示モードを選択する半透過型の液晶表示装置が注目されている。半透過型の液晶表示装置では、明るい場所では反射モードを選択して消費電力を抑え、暗い場所では透過モードを選択してバックライトにより明るい画面を表示する。
このような半透過型の液晶表示装置を有する携帯情報機器では、透過モードおよび反射モードのいずれか一方の表示モードが選択されたときには、制御回路により選択された表示モードに対応する表示設定情報を制御回路からＬＣＤ（Liquid Crystal Display）ドライバに送信し、ＬＣＤドライバにより表示設定情報を設定して液晶表示装置を駆動していた（特許文献１参照）。
【０００３】
図４は、従来のデジタルカメラの表示モードの切り替え方法の一例を示す図である。
図４に示すように、従来のデジタルカメラでは、制御回路からＬＣＤドライバに表示設定情報が送信されるが、この表示設定情報の送信は、垂直ブランキング期間を利用して送信されていたため、５〜７フレームの表示期間がかかっていた。図４では、１垂直ブランキング期間毎に２つの表示設定情報（ｄａｔａ００、ｄａｔａ０１等）が送信され、７フレーム（Ｆ：１〜Ｆ：７）期間をかけて１４の表示設定情報が送信されている。
【特許文献１】特開２００３−１６７２２８号公報
【発明の開示】
【発明が解決しようとする課題】
【０００４】
しかしながら、図４に示される半透過型の液晶表示装置を有する従来のデジタルカメラでは、前述のように、透過モードと反射モードとの切り替えを行うために７フレームの表示期間に渡って表示設定情報が制御回路からＬＣＤドライバに送信されていた。
この表示モードの切り替え期間には、２つの表示設定情報セットが１フレーム期間毎に順次に切り替えられ、透過モードの表示設定情報と反射モードの表示設定情報とが混在するため、明るさや色合いのバランスが崩れた異様な映像が液晶表示装置により表示されてしまい、この異様な映像が使用者に不快感を与えるないし故障と錯覚させるといった問題があった。
なお、表示モードの切り替え期間の映像は、透過モードのときには、バックライトの影響により使用者には認識されにくく、あまり問題にならないが、反射モードのときには、使用者に容易に認識される。
【０００５】
本発明は、このような事情に鑑みなされたものであり、その目的は、透過モードおよび反射モードの表示設定情報の切り替え時間を短くし、従来のような表示モードの切り替え時の映像の乱れを使用者に認識させないようにすることができる液晶表示装置の表示モードの切り替え方法および携帯情報機器を提供するにある。
【課題を解決するための手段】
【０００６】
上記目的を達成するため、本発明の液晶表示装置の表示モードの切り替え方法は、第１の表示設定情報に基づいて画像信号の信号処理を行って液晶表示装置を駆動するパネル駆動回路と、前記第１の表示設定情報を前記パネル駆動回路に送信して前記パネル駆動回路に前記第１の表示設定情報を設定させるとともに、第２の表示設定情報を設定し、設定された第２の表示設定情報に基づいて前記パネル駆動回路に送信される画像信号の信号処理を行う制御回路とを準備し、バックライトを光源とする透過モードおよび反射板により反射された外光を光源とする反射モードのいずれか一方の表示モードが選択されたとき、選択された表示モードに対応する前記第１の表示設定情報を前記制御回路により前記パネル駆動回路に送信して前記パネル駆動回路により前記第１の表示設定情報を設定するとともに、選択された表示モードに対応する前記第２の表示設定情報を前記制御回路により設定する液晶表示装置の表示モードの切り替え方法であって、前記透過モードおよび前記反射モードのいずれか一方の表示モードが選択されたとき、偶数フィールドの映像が表示される期間に前記第１の表示設定情報を前記制御回路により前記パネル駆動回路に送信し、送信された第１の表示設定情報を前記パネル駆動回路によりフィールド毎に発せられるフィールド垂直同期信号に同期して設定するとともに、前記第２の表示設定情報を前記制御回路によりフレーム毎に発せられるフレーム垂直同期信号に同期して設定することを特徴とする。
また、本発明の携帯情報機器は、バックライトを光源とする透過モードおよび反射板により反射される外光を光源とする反射モードのいずれか一方の表示モードを選択して表示する液晶表示パネルと、前記透過モードおよび前記反射モードのいずれか一方の表示モードが選択されたとき、選択された表示モードに対応する第１の表示設定情報を設定し、設定された第１の表示設定情報に基づいて前記液晶表示パネルにより表示される画像信号の信号処理を行って前記液晶表示パネルを駆動するパネル駆動回路と、前記透過モードおよび前記反射モードのいずれか一方の表示モードを選択されたとき、選択された表示モードに対応する前記第１の表示設定情報を前記パネル駆動回路に送信して前記パネル駆動回路に前記第１の表示設定情報を設定させるとともに、選択された表示モードに対応する第２の表示設定情報を設定し、設定された第２の表示設定情報に基づいて前記パネル駆動回路に送信される画像信号の信号処理を行う制御回路とを備え、前記制御回路は、前記透過モードおよび前記反射モードのいずれか一方の表示モードが選択されたとき、偶数フィールドの映像が表示される期間に前記パネル駆動回路に前記第１の表示設定情報を送信するとともに、フレーム毎に発せられるフレーム垂直同期信号に同期して前記第２の表示設定情報を設定し、前記パネル駆動回路は、前記制御回路により送信された前記第１の表示設定情報をフィールド毎に発せられるフィールド垂直同期信号に同期して設定することを特徴とする。
【発明の効果】
【０００７】
本発明によれば、透過モードおよび反射モードのいずれか一方の表示モードを選択されたときには、偶数フィールドの映像が表示される期間に第１の表示設定情報を制御回路によりパネル駆動回路に送信し、パネル駆動回路によりフィールド垂直同期信号に同期して第１の表示設定情報を設定し、制御回路によりフレーム垂直同期信号に同期して第２の表示設定情報を設定する。
したがって、パネル駆動回路および制御回路によりそれぞれの第１および第２の表示設定情報を同時かつ瞬時に設定することができるので、従来のように表示モードの遷移期間に異様な映像が表示される、異様な映像が使用者に認識されるのを防止することができる。
【発明を実施するための最良の形態】
【０００８】
上記目的を達成するため、第１の表示設定情報に基づいて画像信号の信号処理を行って液晶表示装置を駆動するパネル駆動回路と、第１の表示設定情報をパネル駆動回路に送信してパネル駆動回路に第１の表示設定情報を設定させるととともに、第２の表示設定情報を設定し、設定された第２の表示設定情報に基づいてパネル駆動回路に送信される画像信号の信号処理を行う制御回路とを設ける。
この制御回路により第１の表示設定情報をパネル駆動回路に送信する期間を偶数フィールドの映像が表示される期間に割り当てる。
そして、透過モードおよび反射モードのいずれか一方の表示モードが選択されたときには、偶数フィールドの映像が表示される期間に第１の表示設定情報を制御回路によりパネル駆動回路に送信する。送信された第１の表示設定情報をパネル駆動回路によりフィールド垂直同期信号に同期して設定し、第２の表示設定情報を制御回路によりフレーム垂直同期信号に同期して設定し、これにより、パネル駆動回路および制御回路によりそれぞれの第１および第２の表示設定情報を同時かつ瞬時に設定する。
【実施例１】
【０００９】
以下、本発明の液晶表示装置の表示モードの切り替え方法及び携帯情報機器について図面を参照して説明する。
以下の実施例１では、本発明の携帯情報機器を適用したデジタルカメラを例に説明する。
図１は、実施例１のデジタルカメラの概略構成を示す図である。
図１に示すように、実施例１のデジタルカメラは、動画および静止画を撮影し、これらの画像データを記録するものであり、カメラブロック１０、ビューファインダ（ＥＶＦ；Electrical View Finder）２１、ファインダドライバ２２、ＬＣＤ（Liquid Crystal Display）パネル３１、パネルドライバ３２、タッチパネル３３、ビデオ出力端子４１、アンプ４２、記録メディア５１、記録メディアドライバ５２、メモリーカード５３、メモリーカードコントローラ５４、操作キー６０、システム制御マイコン７０、ＲＯＭ７２およびＲＡＭ７３を備える。
【００１０】
カメラブロック１０は、レンズ１１、絞り１２、ＣＣＤセンサ１３、信号処理／ＣＯＤＥＣ回路１４を有し、被写体をレンズ１１および絞り１２を通してＣＣＤセンサ１３に結像してＣＣＤセンサ１３により撮影し、撮影された画像（動画および静止画）信号に種々の画像処理を行い、各種のフォーマットの画像信号に変換する。
【００１１】
ビューファインダ２１は、ＣＣＤセンサ１３により撮影された画像を表示する。ファインダドライバ２２は、システム制御マイコン７０からの制御情報に基づいてビューファインダ２１を駆動する。
液晶パネル３１は、ＣＣＤセンサ１３により撮影された画像やメモリーカード５１に記憶された画像を表示するとともに、このデジタルカメラの状態情報や設定情報を表示する。タッチパネル３３は、ＬＣＤパネル３１と一体的に構成され、ＬＣＤパネル３１により表示された操作画面に基づく使用者の操作情報を入力する。
ビデオ出力端子４１は、ＣＣＤセンサ１３により撮影された画像や記録メディア５１に記録された画像をアナログのビデオ信号として出力する。アンプ４２は、ビデオ信号を増幅する。
【００１２】
記録メディア５１は、例えば磁気テープ、光ディスク、ハードディスクからなり、ＣＣＤセンサ１３により撮影された画像（主として動画）を記録する。記録メディアドライブ５２は、記録メディア５１の動作を制御する。
メモリーカード５３は、ＣＣＤセンサ１３により撮影された画像（主として静止画）を記憶する。メモリーカードコントローラ５４は、メモリーカード５３の動作を制御する。
操作キー６０は、操作キー、操作レバー等からなり使用者の操作情報を入力する。
【００１３】
システム制御マイコン７０は、タッチパネル３３および操作キー６０により入力された操作情報に基づいてこのデジタルカメラの各部を制御する。ＲＯＭ７２は、システム制御マイコン７０により実行されるプログラムやデータを記憶する。ＲＯＭ７２には、後述する透過モードおよび反射モードのそれぞれに最適な表示設定情報が記憶されている。ＲＡＭ７３は、システム制御マイコン７０の作業用メモリである。
カメラブロック１０、ファインダドライバ２２、パネルドライバ３２、タッチパネル３３、アンプ４２、記録メディアドライバ５２、メモリーカードコントローラ５４、システム制御マイコン７０、ＲＯＭ７２およびＲＡＭ７３は、バス８０により相互に接続されている。
【００１４】
システム制御マイコン７０は、表示系制御部７１を有する。表示系制御部７１は、ファインダドライバ２２、パネルドライバ３２およびアンプ４２を制御する。ファインダドライバ２２およびパネルドライバ３２は、共通の制御信号線９１を介して表示系制御部７１に接続されている。また、アンプ４２は、制御信号線９２を介して表示系制御部７１に接続されている。
制御信号線９１は、クロック信号線ＸＳＣＫ、データ信号線ＳＯおよびチップセレクト信号線ＸＣＳの３本の信号線からなり、表示系制御部７１は、チップセレクト信号線ＸＣＳにより選択されたファインダドライバ２２またはパネルドライバ３２にデータ信号線ＳＯを通してデータを送信する。すなわち、表示系制御部７１は、ファインダドライバ２２およびパネルドライバ３２に制御情報をシリアル通信で送信する。
【００１５】
ＬＣＤパネル３１は、半透過型の液晶表示装置からなり、透過モードおよび反射モードを選択して画面を表示する。透過モードは、ＬＣＤパネルの液晶背面のバックライトを光源とする表示モードであり、反射モードは、液晶背面の反射板により反射される外光を光源とする表示モードである。
透過モードおよび反射モードは、例えば操作キー６０の図示しない専用の操作キーにより選択され、システム制御マイコン７０により設定される。
【００１６】
表示系制御部７１は、透過モードおよび反射モードのいずれか一方の表示モードが選択されたときには、対応する表示モードの表示設定情報を読み出し、読み出された表示設定情報の一部（第１の表示設定情報）をパネルドライバ３２に送信し、パネルドライバ３２に第１の表示設定情報を設定させるとともに、読み出された表示設定情報のうち必要な情報（第２の表示設定情報）を設定し、設定された第２の表示設定情報に基づいてパネルドライバ３２に送信される画像信号の信号処理を行う。また、表示系制御部７１は、第３の表示設定情報をファインダドライバ２２に送信し、ファインダドライバ２２に第３の表示設定情報を設定させる。
【００１７】
パネルドライバ３２は、表示系制御部７１により送信された第２の表示設定情報を設定し、設定された第２の表示設定情報に基づいて画像信号の信号処理を行い、ＬＣＤパネル３１を駆動する。
ファインダドライバ２２は、表示系制御部７１により送信された第３の表示設定情報を設定し、設定された第３の表示設定情報に基づいて画像信号の信号処理を行い、ビューファインダ２１を駆動する。
第１および第３の表示設定情報は、それぞれ輝度、コントラスト、色合い等の１６の表示設定情報からなる。第２の表示設定情報は、ガンマ補正データ等の表示設定情報からなる。
【００１８】
図２および図３は、表示系制御部７１によりパネルドライバ３２およびファインダドライバ２２を制御する動作を示すタイミングチャートである。
図２に示すように、表示系制御部７１は、ビデオ信号の偶数フィールドが表示される期間にパネルドライバ３２への第１の表示設定情報の送信を割り当て、ビデオ信号の奇数フィールドが表示される期間にファインダドライバ２２への第３の表示設定情報の送信を割り当てる。
【００１９】
偶数フレームの表示期間（ＥＶＥＮ）には、制御信号線９１のチップセレクト信号線ＸＣＳによりパネルドライバ３２が選択され（図２中、ＸＣＳ＿ＰＡＮＥＬ）、クロック信号線ＸＳＣＫに基づいて第１の表示設定情報がデータ信号線ＳＯを通してパネルドライバ３２に送信される。そして、パネルドライバ３２によりフィールド垂直同期信号に同期して第１の表示設定情報が保持（ｌａｔｃｈ）される。
図３に示すように、パネルドライバ３２には、ｄａｔａ００〜ｄａｔａ１５の１６の第１の表示設定情報が奇数フィールド毎にリフレッシュされて送信される。これにより、デジタルカメラの誤作動した場合には、１フレーム期間内に表示設定情報を回復することが可能となる。
【００２０】
一方、奇数フレームの表示期間（Ｏｄｄ）には、制御信号線９１のチップセレクト信号線ＸＣＳによりファインダドライバ２２が選択され（図２中、ＸＣＳ＿ＥＶＦ）、クロック信号線ＸＳＣＫに基づいて第３の表示設定情報がデータ信号線ＳＯを通してファインダドライバ２２に送信される。そして、ファインダドライバ２２によりフィールド垂直同期信号ＸＶＤに同期して第３の表示設定情報が保持（ｌａｔｃｈ）される。
ファインダドライバ２２には、ｄａｔａ００〜ｄａｔａ１５の１６の第３の表示設定情報が偶数フィールド毎にリフレッシュされて送信される。これにより、デジタルカメラの誤作動した場合には、１フレーム期間内に表示設定情報を回復することが可能となる。
【００２１】
時刻Ｔ１において、ＬＣＤパネル３１の透過モードおよび反射モードのいずれか一方の表示モードが選択されると、偶数フィールドの表示期間の時刻Ｔ２において、クロック信号線ＸＳＣＫに基づいて第１の表示設定情報がデータ信号線ＳＯを通して表示制御部７１からパネルドライバ３２に送信され、時刻Ｔ３の奇数フィールドの垂直同期信号ＸＶＤに同期してパネルドライバ３２により第１の表示設定情報が保持（ｌａｔｃｈ）される。
同時に時刻Ｔ３で表示系制御部７１によりフレームの垂直同期信号に同期して第２の表示設定情報が保持（ｌａｔｃｈ）される。
【００２２】
このように実施例１によれば、ＬＣＤパネル３１の透過モードおよび反射モードのいずれか一方の表示モードが選択されたときには、パネルドライバ３２の第１の表示設定情報および表示系制御部７１の第２の表示設定情報をそれぞれの奇数フィールドおよびフレームの垂直同期信号に同期して同時かつ瞬時に設定することができる。
この表示モードの切り替え時間は、１フィールド期間より短いので、従来のように切り替え期間の映像の乱れが使用者に認識されることはない。
【００２３】
なお、実施例１では、デジタルカメラの例を説明したが、本発明の携帯情報機器としては、半透過型の液晶パネルにより透過モードおよび反射モードを切り替える携帯情報機器であればよい。
また、表示モードの切り替えは、操作キー６０によるマニュアル操作の他、照度計により明るさ等を検出し、自動で切り替えるように構成してもよい。
【図面の簡単な説明】
【００２４】
【図１】実施例１のデジタルカメラの概略構成を示す図である。
【図２】表示系制御部７１によりパネルドライバ３２およびファインダドライバ２２を制御する動作を示すタイミングチャートである。
【図３】表示系制御部７１によりパネルドライバ３２およびファインダドライバ２２を制御する動作を示すタイミングチャートである。
【図４】従来のデジタルカメラの表示モードの切り替え方法の一例を示す図である。
【符号の説明】
【００２５】
１０……カメラブロック、２１……ビューファインダ、２２……ファインダドライバ、３１……ＬＣＤ、３２……ＬＣＤドライバ、３３……タッチパネル、４１……ビデオ出力端子、４２……アンプ、７０……システム制御部、７１……表示系制御部、８０……バス、９１……制御信号線、９２……制御信号線。
【図１】
2006208450.tif 000003
【図２】
2006208450.tif 000004
【図３】
2006208450.tif 000005
【図４】
2006208450.tif 000006